(57)【要約】【課題】有効に原稿自動給付部付きに原稿読取装置とスタンド型原稿読取装置とを併存させた複合機を提供する。【解決手段】ベッド型原稿読取装置とスタンド型原稿読取装置とを備える複合機であって、前記ベッド型原稿読取装置は、原稿自動給送部を備え、該原稿自動給送部は、前記複合機の上面に配置され、上方に開くことが可能であり、拡張トレイを備え、前記スタンド型原稿読取装置は、フード部を備え、該フード部は、前記複合機の上面から上方に離間した位置に配置され、その位置から前記複合機の上面にある読取領域に載置された原稿を読み取るためのものであり、前記拡張トレイを最大限に伸長していても前記原稿自動給送部を上方に開くときに前記拡張トレイが前記フード部に干渉しないように前記スタンド型原稿読取装置は前記原稿自動給送部から水平方向に離間して配置される。【選択図】図１
2020120215.tif 000002
【特許請求の範囲】
【請求項１】
ベッド型原稿読取装置とスタンド型原稿読取装置とを備える複合機であって、
前記ベッド型原稿読取装置は、原稿自動給送部を備え、該原稿自動給送部は、前記複合機の本体の上面に配置され、上方に開くことが可能であり、拡張トレイを備え、
前記スタンド型原稿読取装置は、フード部を備え、該フード部は、前記複合機の本体の上面から上方に離間した位置に配置され、その位置から前記複合機の本体の上面にある読取領域に載置された原稿を読み取るためのものであり、
前記拡張トレイを最大限に伸長していても前記原稿自動給送部を上方に開くときに前記拡張トレイが前記フード部に干渉しないように前記スタンド型原稿読取装置は前記原稿自動給送部から水平方向に離間して配置されることを特徴とする複合機。
【請求項２】
請求項１に記載の複合機であって、
前記拡張トレイが最大限に伸長しても前記読取領域に前記拡張トレイが侵入しないように前記原稿自動給送部から前記スタンド型原稿読取装置までの水平方向の距離が調整されていることを特徴とする複合機。
【請求項３】
請求項２に記載の複合機であって、
前記原稿自動給送部に載置される原稿のサイズと向きに依存して、前記読取領域に前記原稿が侵入し又は侵入しないように前記原稿自動給送部から前記スタンド型原稿読取装置までの水平方向の距離が調整されていることを特徴とする複合機。
【請求項４】
請求項３に記載の複合機であって、
前記読取領域に前記原稿自動給送部に載置された前記読取原稿が侵入していなければ前記スタンド型読取装置が前記読取領域に載置された原稿を読み取ることを許可し、前記読取領域に前記原稿自動給送部に載置された前記読取原稿が侵入していれば前記スタンド型読取装置が前記読取領域に載置された原稿を読み取ることを禁止することを特徴とする複合機。
【請求項５】
請求項１に記載の複合機であって、
前記拡張トレイの伸張の有無又は程度の何れかに依存して前記読取領域に前記拡張トレイが侵入し又は侵入しないように前記原稿自動給送部から前記スタンド型原稿読取装置までの水平方向の距離が調整されていることを特徴とする複合機。
【請求項６】
請求項５に記載の複合機であって、
前記読取領域に前記拡張トレイが侵入していなければ前記スタンド型読取装置が前記読取領域に載置された原稿を読み取ることを許可し、前記読取領域に前記拡張トレイが侵入していれば前記スタンド型読取装置が前記読取領域に載置された原稿を読み取ることを禁止することを特徴とする複合機。
【請求項７】
請求項５又は６に記載の複合機であって、
前記原稿自動給送部に載置される原稿のサイズと向きに依存して前記読取領域に前記原稿が侵入し又は侵入しないように前記原稿自動給送部から前記スタンド型原稿読取装置までの水平方向の距離が調整されていることを特徴とする複合機。
【請求項８】
請求項７に記載の複合機であって、
前記読取領域に前記原稿自動給送部に載置された前記読取原稿が侵入していなければ前記スタンド型読取装置が前記読取領域に載置された原稿を読み取ることを許可し、前記読取領域に前記原稿自動給送部に載置された前記読取原稿が侵入していれば前記スタンド型読取装置が前記読取領域に載置された原稿を読み取ることを禁止することを特徴とする複合機。
【請求項９】
請求項５乃至８の何れか１項に記載の複合機であって、
前記拡張トレイが最大限に伸長していても前記原稿自動給送部を上方に開くときに前記原稿自動給送部が前記フード部に干渉しないように前記原稿自動給送部から前記スタンド型原稿読取装置までの水平方向の距離が調整されていることを特徴とする複合機。
【請求項１０】
請求項５乃至８の何れか１項に記載の複合機であって、
前記拡張トレイの伸張の有無又は程度の何れかに依存して前記原稿自動給送部を上方に開くときに前記拡張トレイが前記フード部に干渉し又は干渉しないように前記原稿自動給送部から前記スタンド型原稿読取装置までの水平方向の距離が調整されていることを特徴とする複合機。
【請求項１１】
請求項１０に記載の複合機であって、
前記原稿自動給送部を上方に開くときに前記拡張トレイが前記フード部に干渉することが予想される場合には、前記原稿自動給送部が上方へ開くことに対する制限を設けることを特徴とする複合機。
【請求項１２】
請求項１１に記載の複合機であって、
前記制限とは、開くことの禁止又は開くことによる上昇距離の制限であることを特徴とする複合機。
【請求項１３】
請求項１０乃至１２の何れか１項に記載の複合機であって、
前記原稿自動給送部を上方に開くときに前記拡張トレイが前記フード部に干渉することが予想される場合には、前記拡張トレイを押し込め又は畳むことを促すためのメッセージを出力することを特徴とする複合機。
【請求項１４】
請求項５乃至１３の何れか１項に記載の複合機であって、
前記原稿自動給送部に載置される原稿のサイズと向きに依存して前記原稿自動給送部を上方に開くときに前記原稿自動給送部に載置された原稿が前記フード部に干渉し又は干渉しないように前記原稿自動給送部から前記スタンド型原稿読取装置までの水平方向の距離が調整されていることを特徴とする複合機。
【請求項１５】
請求項１４に記載の複合機であって、
前記原稿自動給送部を上方に開くときに前記原稿自動給送部に載置された原稿が前記フード部に干渉することが予想される場合には、前記原稿自動給送部が上方へ開く場合における上限を設けることを特徴とする複合機。
【請求項１６】
請求項１５に記載の複合機であって、
前記制限とは、開くことの禁止又は開くことによる上昇距離の制限であることを特徴とする複合機。
【請求項１７】
請求項１４乃至１６の何れか１項に記載の複合機であって、
前記原稿自動給送部を上方に開くときに前記原稿自動給送部に載置された原稿が前記フード部に干渉することが予想される場合には、前記原稿自動給送部に載置されている原稿を取り除くことを促すためのメッセージを出力することを特徴とする複合機。
【請求項１８】
請求項１乃至１７の何れか１項に記載の複合機であって、
前記複合機の本体の上面をはみ出て前記読取領域が設けられていることを特徴とする複合機。
【請求項１９】
請求項１８に記載の複合機であって、
前記読取領域の前記複合機の本体の上面をはみ出た部分に原稿を置くためのトレイが設けられていることを特徴とする複合機。
【請求項２０】
ベッド型原稿読取装置とスタンド型原稿読取装置とを備える複合機であって、
前記ベッド型原稿読取装置は、原稿自動給送部を備え、該原稿自動給送部は、前記複合機の本体の上面に配置され、後開きで上方に開くことが可能であり、
前記スタンド型原稿読取装置は、
支柱部の下端部が、前記複合機の本体の前面の上端付近に前記複合機の前後方向に延びる回転軸について回転可能に取り付けられた支柱部と、
前記支柱部の回転により、前記支柱部の上端部が上方に移動したときに、前記フード部が前記ベッド型原稿読取装置の読取領域に少なくとも一部が重複する前記スタンド型原稿読取装置の読取領域に載置された原稿を読み取ることができるように前記支柱部の上端部付近に取り付けられたフード部と、
を備えることを特徴とする複合機。
【請求項２１】
請求項２０に記載の複合機であって、
前記スタンド型原稿読取装置の支柱部は、
少なくとも前記原稿自動給送部が後ろ開きで上方に開いている状態にあるとき又は前記原稿自給送部が閉じている状態にあるときに、前記フード部が前記原稿自動給送部に干渉しないように回転することが可能であることを特徴とする複合機。
【発明の詳細な説明】
【技術分野】
【０００１】
本発明は、複合機に関し、特に、スタンド型原稿読取装置が追加された複合機に関する。
【背景技術】
【０００２】
従来の複合機に備わる原稿読取装置は、透明ガラス板状の原稿台に載置された原稿を原稿台の下方に設けられた原稿読取りのための機構と光学系により読み取る。また、原稿台の上方には原稿自動給装部が設けられている。
【０００３】
利用者は、原稿台に原稿の読取面を下にして載置し、その状態にある原稿を原稿読取装置に読み取らせる。また、利用者は、大量の原稿の読取りが必要な場合には、原稿自動給紙部に原稿を載置してから、原稿自動給紙部に原稿送りをさせる。原稿読取装置は、原稿自動給紙部により送られている原稿を読み取る。
【０００４】
ここで、本の紙面を読み取ることが必要な場合、従来からの原稿読取装置を用いるならば、利用者は、開いた状態の本を裏返しにして、原稿台の上に載置する必要が出てくる。このような場合には、使い勝手が悪いばかりではなく、本に不要な折り目をつけてしまうことがある。
【０００５】
近年、スタンド型原稿読取装置が登場してきている。これは、台の上に通常に紙面を上にして開かれた本を上方から読取り、紙面の画像を取得するので、利用者は本を読むときのようにページをめくるだけで良く、本に不要な折り目がついてしまうことを避けることもできる。
【０００６】
特許文献１に開示されているスタンド型原稿読取装置は、該文献の図１及び図２に示されているように、鉛直な支持部と、該支持部の上端に取り付けられ、斜め上方に延びるアームと、該アームの先端に取り付けられ、水平な底面を有する平板状のフード(hood)と、該フードの下面に取り付けられた照明手段と読取機構を備える。読取機構は、水平方向に延びたライン状のイメージセンサと、水平方向に延びたミラーを備えるが、ミラーは、水平軸について回転可能となっている。支持部に隣接し、フードの下方にある画像読取領域に原稿が載置されると、照明手段は原稿に光を照射する。そして、ミラーの回転角度に応じて原稿の帯状の画像がライン状のイメージセンサに入射する。従って、ミラーを回転させることにより原稿を主走査することができる。そして、ライン状のイメージセンサは、主走査された原稿画像を副走査して読み取る。これにより原稿画像を二次元的に読み取ることができる。
【０００７】
特許文献２及び特許文献３には、原稿全体を照射する代わりにその時々に主走査される領域のみを照射する構成が開示されている。
【０００８】
いずれの文献に開示されているスタンド型原稿読取装置も、支持部を起点として水平方向又は斜め上方向に突出していて、上方から見た場合に画像読取領域の少なくとも一部を覆うようなフード部を持つ。
【０００９】
特許文献４には、連続して取得した複数の画像から特徴点を抽出して、画像間で特徴点を比較することにより速度ベクトルを求め、それに基づいて読取り開始を判定するオーバーヘッドスキャナ装置が開示されている。
【００１０】
特許文献５には、本体上面に自動原稿送り装置とモニターを設けた複合機が開示されている。
【００１１】
特許文献６には、複合機がこれに接続された別個のオーバヘッド型画像読取装置を用いて画像を読み取る発明が開示されている。
【先行技術文献】
【特許文献】
【００１２】
【特許文献１】特開平０８−１８１８２７号公報
【特許文献２】特開２００１−２８６７１号公報
【特許文献３】特開２０１３−２５８６１２号公報
【特許文献４】特開２０１１−２５４３６６号公報
【特許文献５】特開２０１５−１３４６４号公報
【特許文献６】特開２００４−２４５８９１号公報
【発明の概要】
【発明が解決しようとする課題】
【００１３】
ここで、複合機にスタンド型原稿読取装置を装備する場合、複合機の筐体の上面にスタンド型原稿読取装置を取り付けることが考えられる。従来からの原稿読取装置及びこれに載置された原稿自動給付部を複合機に残したまま、スタンド型原稿読取装置を追加すれば、複合機の従来からの機能を損なうことない。利用者は、用途に応じて、従来からの原稿読取装置とスタンド型原稿読取装置とを使い分けることになる。
【００１４】
しかし、原稿自動給付部は、複合機の筐体の上面のかなりの面積を占めるので、スタンド型原稿読取装置を取り付けることができる複合機の筐体の上面の領域はかなり限られてくる。また、原稿自動給付部により大きめの原稿を送らせる場合、初期状態においては、原稿は、原稿自動給付部からはみ出した状態になるので、これと干渉しないようにスタンド型原稿読取装置を複合機の筐体の上面に取り付ける場合には、取り付ける領域が更に限られてくる。
【００１５】
そこで、本発明は、有効に原稿自動給付部付きに原稿読取装置とスタンド型原稿読取装置とを併存させた複合機を備えることを目的とする。
【課題を解決するための手段】
【００１６】
本発明によれば、
ベッド型原稿読取装置とスタンド型原稿読取装置とを備える複合機であって、
前記ベッド型原稿読取装置は、原稿自動給送部を備え、該原稿自動給送部は、前記複合機の上面に配置され、上方に開くことが可能であり、拡張トレイを備え、
前記スタンド型原稿読取装置は、フード部を備え、該フード部は、前記複合機の上面から上方に離間した位置に配置され、その位置から前記複合機の上面にある読取領域に載置された原稿を読み取るためのものであり、
前記拡張トレイを最大限に伸長していても前記原稿自動給送部を上方に開くときに前記拡張トレイが前記フード部に干渉しないように前記スタンド型原稿読取装置は前記原稿自動給送部から水平方向に離間して配置されることを特徴とする複合機が提供される。
【００１７】
また、本発明によれば、
ベッド型原稿読取装置とスタンド型原稿読取装置とを備える複合機であって、
前記ベッド型原稿読取装置は、原稿自動給送部を備え、該原稿自動給送部は、前記複合機の本体の上面に配置され、後開きで上方に開くことが可能であり、
前記スタンド型原稿読取装置は、
支柱部の下端部が、前記複合機の本体の前面の上端付近に前記複合機の前後方向に延びる回転軸について回転可能に取り付けられた支柱部と、
前記支柱部の回転により、前記支柱部の上端部が上方に移動したときに、前記フード部が前記ベッド型原稿読取装置の読取領域に少なくとも一部が重複する前記スタンド型原稿読取装置の読取領域に載置された原稿を読み取ることができるように前記支柱部の上端部付近に取り付けられたフード部と、
を備えることを特徴とする複合機が提供される。
【発明の効果】
【００１８】
本発明によれば、有効に原稿自動給付部付きに原稿読取装置とスタンド型原稿読取装置とを併存させることができる。
【図面の簡単な説明】
【００１９】
【図１】本発明の第１の実施の形態による複合機の上面図及び正面図である。
【図２】本発明の第１の実施の形態による複合機の給紙装置が閉じた状態における左側面図及び給紙装置が開いた状態における左側面図である。
【図３】本発明の第１の実施の形態による複合機の上面に何も載置されていない状態における上面図及び上面に読取原稿が置かれた状態における上面図である。
【図４】本発明の第２の実施の形態による複合機の上面図及び正面図である。
【図５】本発明の第２の実施の形態による複合機の拡張トレイが収納された状態における上面図及び拡張トレイが引き出された状態における上面図である。
【図６】本発明の第２の実施の形態による複合機の上面に何も載置されていない状態における上面図及び上面に読取原稿が置かれた状態における上面図である。
【図７】本発明の第３の実施の形態による複合機の上面図及び正面図である。
【図８】本発明の第４の実施の形態による複合機の上面図及び正面図である。
【図９】本発明の第４の実施の形態による複合機の拡張トレイが収納された状態における上面図及び拡張トレイア引き出された状態における上面図である。
【図１０】本発明の第４の実施の形態による複合機の上面に何も載置されていない状態における上面図及び上面に読取原稿が置かれた状態における上面図である。
【図１１】本発明の第５の実施の形態による複合機の上面図及び正面図である。
【図１２】本発明の第６の実施の形態による複合機の上面図及び正面図である。
【図１３】本発明の第７の実施の形態による複合機の原稿自動給送部が閉じた状態における上面図及び正面図である。
【図１４】本発明の第７の実施の形態による複合機の原稿自動給送部が開いた状態における上面図及び正面図である。
【図１５】本発明の第９の実施の形態による複合機の概念的断面図である。
【図１６】本発明の第９の実施の形態による複合機の機能ブロック図である。
【発明を実施するための形態】
【００２０】
以下、図面を参照して本発明を実施するための形態について詳細に説明する。
【００２１】
［第１の実施の形態］
図１は、本発明の第１の実施の形態による複合機の上面図及び正面図である。
【００２２】
図１を参照すると、複合機８００は本体８３０を備える。また、複合機８００はベッド型原稿読取装置８２０を備える。ベッド型原稿読取装置８２０は、原稿を自動給送する原稿自動給送部ＳＰＦ(Single Pass Feeder)８２４と、原稿の画像を読み取る読取装置本体８２２と、を備えている。
【００２３】
原稿自動給装部８２４は、矢印Ａの方向に伸縮可能なスライド式の拡張トレイ８４０を含む。つまり、拡張トレイ８４０は、押し込めたり、引出したりすることができる。拡張トレイ８４０が収納された通常の状態では、原稿８５０は、長手方向の寸法がＬ１の給紙トレイ８６０に載置される。図１に示すように、拡張トレイ８４０を長さＬ２だけ引出すと、給紙トレイ８６０の実質的な寸法がＬ１＋Ｌ２になり、大きな原稿に対応できるようになる。なお、他の実施の形態においてもこの構成は同様であるが、便宜的に給紙トレイ８６０の図示を省略し、これの説明も一部では省略している。
【００２４】
給紙トレイ８６０又は給紙トレイ８６０及び拡張トレイ８４０の上に載置された原稿は、原稿自動給送部８２４により読取装置本体８２２まで送られて読み取られる。なお、拡張トレイ８４０は、折り畳み式であってもよい。スライド式であっても折り畳み式であっても拡張トレイ８４０は、同様な最大限に伸長した状態を持つ。折り畳み式の場合には、拡張トレイを折り畳んだり開いたりすることができる。
【００２５】
また、複合機８００は、スタンド型原稿読取装置３０１を備える。
【００２６】
スタンド型読取装置３０１は、支柱部３０３及びフード部３０５を備える。フード部３０５には、照光部（図示せず）と読取部（図示せず）が備わり、これらにより読取領域３２１に載置された読取原稿を読み取ることができる。
【００２７】
本実施形態においては、上面から見て、スタンド型読取装置３０１に対応した読取領域３２１が最大に伸長した拡張トレイ８４０に干渉しないようにスタンド型読取装置３０１に配設される。
【００２８】
従って、図２に示すように、ベッド型原稿読取装置８２０に原稿をセットする為に原稿自動給送部８２４を開いても、フード部３０５が原稿自動給送部８２４に干渉することはない。特に、拡張トレイ８４０が原稿自動給送部８２４に格納されている場合のみならず、拡張トレイ８４０が最大に伸長している場合においても、原稿自動給送部８２４を開いても、フード部３０５が原稿自動給送部８２４に干渉することはない。
【００２９】
読取領域３２１が本体右端部から右側にはみ出るので、本体８３０の右側面上端付近に原稿載置用折畳式トレイ３１１が取り付けられている。原稿載置用折畳式トレイ３１１は、矢印Ｂで示すように、回転させることが可能である。なお、原稿載置用折畳式トレイ３１１は、本体に収容可能なスライド式トレイ、取外可能なトレイなどに置き換わってもよい。
【００３０】
図３の上図に示すように、複合機８００の上面に何も載置されていない場合には、読取領域３２１に読取原稿が載置されたならば、それをスタンド型読取装置３０１に読み取ることが可能である。
【００３１】
しかし、図３の下図に示すように、原稿自動給送部８２４に読取装置本体８２２で読み取るための原稿８５０が載置され、その原稿の一部が、読取領域３２１の範囲に入っている場合には、読取領域３２１に別の原稿を置いてスタンド型読取装置３０１で読み取ろうとしても、完全に読み取ることができない。従って、このような場合には、スタンド型読取装置３０１による原稿読取りを禁止する。
【００３２】
なお、原稿自動給送部８２４の給紙側のトレイに読取装置本体８２２でこれから読み取るための原稿が載置されている場合のみならず、原稿自動給送部８２４の排紙側のトレイに読取装置本体８２２で読み取った後の原稿が載置されている場合においても、そのような原稿の一部が読取領域３２１に入ることがある。従って、原稿自動給送部８２４の給紙側のトレイに読取装置本体８２２でこれから読み取るための原稿が載置されていることを、原稿自動給送部８２４に読取装置本体８２２で読み取るための原稿が載置されているといい、原稿自動給送部８２４の排紙側のトレイに読取装置本体８２２で読み取った後の原稿が載置されていることも、原稿自動給送部８２４に読取装置本体８２２で読み取るための原稿が載置されていることという。
【００３３】
従って、例えば、
（１１）原稿自動給送部８２４に原稿が載置されていることを、例えば、原稿自動給送部８２４に設けられたマイクロスイッチなどにより検出した場合には、スタンド型読取装置３０１による原稿読取りを禁止する。また、この場合において、スタンド型読取装置３０１により原稿を読み取るための操作があった場合には、原稿自動給送部８２４に載置された原稿を取り除くことを促すためのメッセージを操作パネルに表示したり、スピーカから出力したりする。
【００３４】
（１２）スタンド型読取装置３０１の読取部が読取領域３２１の左端部分３２１ａに原稿があるが読取領域３２１の他の部分には原稿がないことを検出した場合には、スタンド型読取装置３０１による原稿読取りを禁止する。また、この場合において、スタンド型読取装置３０１により原稿を読み取るための操作があった場合には、原稿自動給送部８２４に載置された原稿を取り除くことを促すためのメッセージを操作パネルに表示したり、スピーカから出力したりする。
【００３５】
（１３）原稿自動給送部８２４に原稿が載置されていることを、例えば、原稿自動給送部８２４に設けられたマイクロスイッチなどにより検出し、且つ、スタンド型読取装置３０１の読取部が読取領域３２１の左端部分３２１ａに原稿があるが読取領域３２１の他の部分には原稿がないことを検出した場合には、スタンド型読取装置３０１による原稿読取りを禁止する。また、この場合において、スタンド型読取装置３０１により原稿を読み取るための操作があった場合には、原稿自動給送部８２４に載置された原稿を取り除くことを促すためのメッセージを操作パネルに表示したり、スピーカから出力したりする。
【００３６】
なお、原稿自動給送部８２４から原稿が取り除かれれば、原稿読取りの禁止を解除する。
【００３７】
［第２の実施の形態］
図４は、本発明の第２の実施の形態による複合機の上面図及び正面図である。
【００３８】
図４を参照すると、複合機８００は本体８３０を備える。また、複合機８００はベッド型原稿読取装置８２０を備える。ベッド型原稿読取装置８２０は、原稿を自動給送する原稿自動給送部ＳＰＦ(Single Pass Feeder)８２４と、原稿の画像を読み取る読取装置本体８２２と、を備えている。
【００３９】
原稿自動給装部８２４は、矢印Ａの方向に伸縮可能な拡張トレイ８４０を含む。給紙トレイ８６０又は給紙トレイ８６０及び拡張トレイ８４０の上に載置された原稿は、原稿自動給送部８２４により読取装置本体８２２まで送られて読み取られる。
【００４０】
また、複合機８００は、スタンド型原稿読取装置３０１を備える。
【００４１】
スタンド型読取装置３０１は、支柱部３０３及びフード部３０５を備える。フード部３０５には、照光部（図示せず）と読取部（図示せず）が備わり、これらにより読取領域３２１に載置された読取原稿を読み取ることができる。
【００４２】
第１の実施の形態においては、上面から見て、スタンド型読取装置３０１に対応した読取領域３２１が最大に伸長した拡張トレイ８４０に干渉しないようにスタンド型読取装置３０１に配設されるのに対して、本実施の形態では、上面から見て、スタンド型読取装置３０１に対応した読取領域３２１が最大に伸長した拡張トレイ８４０に干渉するが原稿自動給送部８２４に収納した拡張トレイ８４０には干渉しないようにスタンド型読取装置３０１に配設される。
【００４３】
しかし、本実施の形態においては、拡張トレイ８４０を最大限に伸張しても原稿自動給送部８２４が閉じられた状態でも開いた状態でも上面から見て、フード部３０５及び支柱部３０３が拡張トレイ８４０に干渉しないようにスタンド型読取装置３０１に配設される。
【００４４】
従って、図２に示すように、原稿自動給送部８２４を開いても、フード部３０５が原稿自動給送部８２４に干渉することはない。特に、拡張トレイ８４０が原稿自動給送部８２４に格納されている場合のみならず、拡張トレイ８４０が最大に伸長している場合においても、原稿自動給送部８２４を開いても、フード部３０５が原稿自動給送部８２４に干渉することはない。
【００４５】
図５の上図に示すように、原稿自動給送部８２４の拡張トレイ８４０が格納されていて、且つ、複合機８００の上面に何も載置されていない場合には、読取領域３２１に読取原稿が載置されたならば、それをスタンド型読取装置３０１に読み取ることが可能である。
【００４６】
図５の下図に示すように、原稿自動給送部８２４の拡張トレイ８４０が所定量以上拡張されている場合には、読取領域３２１に別の原稿を置いてスタンド型読取装置３０１で読み取ろうとしても、完全に読み取ることができない。従って、このような場合には、スタンド型読取装置３０１による原稿読取りを禁止する。
【００４７】
従って、例えば、
（２１）原稿自動給送部８２４の拡張トレイ８４０が拡張されていることを、例えば、原稿自動給送部８２４に設けられたマイクロスイッチなどにより検出した場合には、スタンド型読取装置３０１による原稿読取りを禁止する。また、この場合において、スタンド型読取装置３０１により原稿を読み取るための操作があった場合には、拡張トレイ８４０を格納することを促すためのメッセージを操作パネルに表示したり、スピーカから出力したりする。
【００４８】
（２２）スタンド型読取装置３０１の読取部が読取領域３２１の左端部分３２１ａに拡張トレイ８４０があることを検出した場合には、スタンド型読取装置３０１による原稿読取りを禁止する。また、この場合において、スタンド型読取装置３０１により原稿を読み取るための操作があった場合には、拡張トレイ８４０を格納することを促すためのメッセージを操作パネルに表示したり、スピーカから出力したりする。
【００４９】
（２３）原稿自動給送部８２４の拡張トレイ８４０が拡張されていることを、例えば、原稿自動給送部８２４に設けられたマイクロスイッチなどにより検出し、且つ、スタンド型読取装置３０１の読取部が読取領域３２１の左端部分３２１ａに拡張トレイ８４０があることを検出した場合には、スタンド型読取装置３０１による原稿読取りを禁止する。また、この場合において、スタンド型読取装置３０１により原稿を読み取るための操作があった場合には、拡張トレイ８４０を格納することを促すためのメッセージを操作パネルに表示したり、スピーカから出力したりする。
【００５０】
図６の上図に示すように、複合機８００の上面に何も載置されていない場合には、読取領域３２１に読取原稿が載置されたならば、それをスタンド型読取装置３０１に読み取ることが可能である。
【００５１】
図６の下図に示すように、原稿自動給送部８２４に読取装置本体８２２で読み取るための原稿が載置され、その原稿のサイズ又はサイズと向きの組合わせによりその原稿の一部が、読取領域３２１の範囲に入っている場合には、読取領域３２１に別の原稿を置いてスタンド型読取装置３０１で読み取ろうとしても、完全に読み取ることができない。従って、このような場合には、スタンド型読取装置３０１による原稿読取りを禁止する。
【００５２】
従って、例えば、
（３１）原稿自動給送部８２４に原稿が載置されていることを、例えば、原稿自動給送部８２４に設けられたマイクロスイッチなどにより検出した場合には、スタンド型読取装置３０１による原稿読取りを禁止する。また、この場合において、スタンド型読取装置３０１により原稿を読み取るための操作があった場合には、原稿自動給送部８２４に載置された原稿を取り除くことを促すためのメッセージを操作パネルに表示したり、スピーカから出力したりする。
【００５３】
（３２）スタンド型読取装置３０１の読取部が読取領域３２１の左端部３２１ａに原稿があるが読取領域３２１の他の部分に原稿がないことを検出した場合には、スタンド型読取装置３０１による原稿読取りを禁止する。また、この場合において、スタンド型読取装置３０１により原稿を読み取るための操作があった場合には、原稿自動給送部８２４に載置された原稿を取り除くことを促すためのメッセージを操作パネルに表示したり、スピーカから出力したりする。
【００５４】
（３３）原稿自動給送部８２４に原稿が載置されていることを、例えば、原稿自動給送部８２４に設けられたマイクロスイッチなどにより検出し、且つ、スタンド型読取装置３０１の読取部が読取領域３２１の左端部３２１ａに原稿があるが読取領域３２１の他の部分に原稿がないことを検出した場合には、スタンド型読取装置３０１による原稿読取りを禁止する。また、この場合において、スタンド型読取装置３０１により原稿を読み取るための操作があった場合には、原稿自動給送部８２４に載置された原稿を取り除くことを促すためのメッセージを操作パネルに表示したり、スピーカから出力したりする。
【００５５】
なお、原稿自動給送部８２４から原稿が取り除かれ、且つ、拡張トレイ８４０が格納された状態になれば、原稿読取りの禁止を解除する。
【００５６】
［第３の実施の形態］
図７は、第３の実施の形態における複合機８００の上面図及び正面図を示す。
【００５７】
第３の実施の形態は、第２の実施の形態において、本体の幅を狭くしたものである。
【００５８】
つまり、第２の実施の形態における本体８３０の幅は、Ｗ２（図４参照）であるが、第３の実施の形態における本体８３０の幅はＷ３（図７参照）であり、Ｗ２＞Ｗ３である。
【００５９】
特に、第２の実施の形態における本体８３０の左端からフードの右端までの寸法をＷ２１、フードの右端から本体８３０の右端までの寸法をＷ２２として、第３の実施の形態における本体８３０の左端からフードの右端までの寸法をＷ３１、フードの右端から本体８３０の右端までの寸法をＷ３２とした場合、Ｗ２１＝Ｗ３１、Ｗ２２＞Ｗ３２である。
【００６０】
特に、寸法Ｗ３２は、読取領域３２１が本体８３０の上面からはみ出る程度に短く設定される。
【００６１】
読取領域３２１が本体右端部から右側にはみ出るので、本体８３０の右側面上端付近に原稿載置用折畳式トレイ３１１が取り付けられている。原稿載置用折畳式トレイ３１１は、矢印Ｂで示すように、回転させることが可能である。なお、原稿載置用折畳式トレイ３１１は、本体に収容可能なスライド式トレイ、取外可能なトレイなどに置き換わってもよい。
【００６２】
［第４の実施の形態］
図８は、本発明の第４の実施の形態による複合機の上面図及び正面図である。
【００６３】
図８を参照すると、複合機８００は本体８３０を備える。また、複合機８００はベッド型原稿読取装置８２０を備える。ベッド型原稿読取装置８２０は、原稿を自動給送する原稿自動給送部ＳＰＦ(Single Pass Feeder)８２４と、原稿の画像を読み取る読取装置本体８２２と、を備えている。
【００６４】
原稿自動給装部８２４は、矢印Ａの方向に伸縮可能な拡張トレイ８４０を含む。給紙トレイ８６０又は給紙トレイ８６０及び拡張トレイ８４０の上に載置された原稿は、原稿自動給送部８２４により読取装置本体８２２まで送られて読み取られる。
【００６５】
また、複合機８００は、スタンド型原稿読取装置３０１を備える。
【００６６】
スタンド型読取装置３０１は、支柱部３０３及びフード部３０５を備える。フード部３０５には、照光部（図示せず）と読取部（図示せず）が備わり、これらにより読取領域３２１に載置された読取原稿を読み取ることができる。
【００６７】
第１の実施の形態においては、上面から見て、スタンド型読取装置３０１に対応した読取領域３２１が最大に伸長した拡張トレイ８４０に干渉しないようにスタンド型読取装置３０１に配設される。
【００６８】
第２の実施の形態では、上面から見て、スタンド型読取装置３０１に対応した読取領域３２１が最大に伸長した拡張トレイ８４０に干渉するが、フード部３０５が最大に伸長した拡張トレイ８４０に干渉しないようにスタンド型読取装置３０１に配設される。
【００６９】
これに対して、本実施の形態では、上面から見て、フード部３０５が所定長以上伸長した拡張トレイ８４０に干渉するが、所定長未満伸長した拡張トレイ８４０に干渉しないようにスタンド型読取装置３０１に配設される。
【００７０】
また、図示していないが、上面から見て、フード部３０５が所定長以上伸長した拡張トレイ８４０に干渉していても、原稿自動給送部８２４を開くときに所定長以上伸長した拡張トレイ８４０がフード部３０５に干渉しない構成もある。この構成の場合、いうまでもないが、上面から見て、フード部３０５は、所定長未満伸長した拡張トレイ８４０に干渉しない。  例えば、本実施の形態では、上面から見て、フード部３０５が原稿自動給送部８２４に干渉しないが、原稿自動給送部８２４から僅かでもはみ出るように伸長した拡張トレイ８４０に干渉されるように配設される。
【００７１】
従って、拡張トレイ８４０の伸長長さが所定値以上であると、原稿自動給送部８２４を開こうとした場合に、フード部３０５が原稿自動給送部８２４に干渉してしまうが、拡張トレイ８４０の伸長長さが所定値未満であれば、図２に示すように、原稿自動給送部８２４を開いても、フード部３０５が原稿自動給送部８２４に干渉することはない。
【００７２】
図９の上図に示すように、原稿自動給送部８２４の拡張トレイ８４０が格納されていて、且つ、複合機８００の上面に何も載置されていない場合には、読取領域３２１に読取原稿が載置されたならば、それをスタンド型読取装置３０１に読み取ることが可能である。また、このような場合には、原稿自動給送部８２４を開こうとするときに、フード３０５が自動給送部８２４に干渉するようなことはない。
【００７３】
図９の下図に示すように、原稿自動給送部８２４の拡張トレイ８４０が所定量以上拡張されている場合には、読取領域３２１に原稿を置いてスタンド型読取装置３０１で読み取ろうとしても、完全に読み取ることができない。従って、このような場合には、スタンド型読取装置３０１による原稿読取りを禁止する。また、このような場合には、原稿自動給送部８２４を開こうとするときに、フード３０５が自動給送部８２４に干渉してしまう。従って、このような場合には、自動給付装部８２４が開くことを禁止する。
【００７４】
従って、例えば、
（４１）原稿自動給送部８２４の拡張トレイ８４０が所定長以上拡張されていることを、例えば、原稿自動給送部８２４に設けられたマイクロスイッチなどにより検出した場合には、スタンド型読取装置３０１による原稿読取りを禁止する。また、この場合において、スタンド型読取装置３０１により原稿を読み取るための操作があった場合には、拡張トレイ８４０を格納することを促すためのメッセージを操作パネルに表示したり、スピーカから出力したりする。また、このような場合には、原稿自動給送部８２４が開くことを禁止する。具体的には、何かしらのロック機構を作動させることにより、利用者が原稿自動給送部８２４を開こうとしてもそれができないようにする。
【００７５】
（４２）スタンド型読取装置３０１の読取部が読取領域３２１の左端部分３２１ａに拡張トレイ８４０があることを検出した場合には、スタンド型読取装置３０１による原稿読取りを禁止する。また、この場合において、スタンド型読取装置３０１により原稿を読み取るための操作があった場合には、拡張トレイ８４０を格納することを促すためのメッセージを操作パネルに表示したり、スピーカから出力したりする。また、このような場合には、原稿自動給送部８２４が開くことを禁止する。具体的には、何かしらのロック機構を作動させることにより、利用者が原稿自動給送部８２４を開こうとしてもそれができないようにする。
【００７６】
（４３）原稿自動給送部８２４の拡張トレイ８４０が所定長以上拡張されていることを、例えば、原稿自動給送部８２４に設けられたマイクロスイッチなどにより検出し、且つ、スタンド型読取装置３０１の読取部が読取領域３２１の左端部分３２１ａに拡張トレイ８４０があることを検出した場合には、スタンド型読取装置３０１による原稿読取りを禁止する。また、この場合において、スタンド型読取装置３０１により原稿を読み取るための操作があった場合には、拡張トレイ８４０を格納することを促すためのメッセージを操作パネルに表示したり、スピーカから出力したりする。また、このような場合には、原稿自動給送部８２４が開くことを禁止する。具体的には、何かしらのロック機構を作動させることにより、利用者が原稿自動給送部８２４を開こうとしてもそれができないようにする。
【００７７】
上記（４１）乃至（４３）において、原稿自動給送部８２４が開くことを禁止する代わりに、所定量以上開かないようにしてもよい。
【００７８】
上記（４１）乃至（４３）において、所定長をゼロにしてもよい。
【００７９】
上記（４１）乃至（４３）において、原稿自動給送部８２４が開くことを禁止するかわりに、警告を表示したり、警告音を出力したり、警告のメッセージ音声を出力してもよい。
【００８０】
図１０の上図に示すように、複合機８００の上面に何も載置されていない場合には、読取領域３２１に読取原稿が載置されたならば、それをスタンド型読取装置３０１に読み取ることが可能である。
【００８１】
図１０の下図に示すように、原稿自動給送部８２４に読取装置本体８２２で読み取るための原稿が載置され、その原稿のサイズ又はサイズと向きの組合わせによりその原稿の一部が、読取領域３２１の範囲に入っている場合には、読取領域３２１に別の原稿を置いてスタンド型読取装置３０１で読み取ろうとしても、完全に読み取ることができない。従って、このような場合には、スタンド型読取装置３０１による原稿読取りを禁止する。
【００８２】
従って、例えば、
（５１）原稿自動給送部８２４に所定サイズ以上の原稿が載置されていることを、例えば、原稿自動給送部８２４に設けられたマイクロスイッチなどにより検出した場合には、スタンド型読取装置３０１による原稿読取りを禁止する。また、この場合において、スタンド型読取装置３０１により原稿を読み取るための操作があった場合には、原稿自動給送部８２４に載置された原稿を取り除くことを促すためのメッセージを操作パネルに表示したり、スピーカから出力したりする。また、このような場合には、原稿自動給送部８２４が開くことを禁止する。具体的には、何かしらのロック機構を作動させることにより、利用者が原稿自動給送部８２４を開こうとしてもそれができないようにする。
【００８３】
（５２）スタンド型読取装置３０１の読取部が読取領域３２１の左端部３２１ａに原稿があるが読取領域３２１の他の部分に原稿がないことを検出した場合には、スタンド型読取装置３０１による原稿読取りを禁止する。また、この場合において、スタンド型読取装置３０１により原稿を読み取るための操作があった場合には、原稿自動給送部８２４に載置された原稿を取り除くことを促すためのメッセージを操作パネルに表示したり、スピーカから出力したりする。また、このような場合には、原稿自動給送部８２４が開くことを禁止する。具体的には、何かしらのロック機構を作動させることにより、利用者が原稿自動給送部８２４を開こうとしてもそれができないようにする。
【００８４】
（５３）原稿自動給送部８２４に所定サイズ以上の原稿が載置されていることを、例えば、原稿自動給送部８２４に設けられたマイクロスイッチなどにより検出し、且つ、スタンド型読取装置３０１の読取部が読取領域３２１の左端部３２１ａに原稿があるが読取領域３２１の他の部分に原稿がないことを検出した場合には、スタンド型読取装置３０１による原稿読取りを禁止する。また、この場合において、スタンド型読取装置３０１により原稿を読み取るための操作があった場合には、原稿自動給送部８２４に載置された原稿を取り除くことを促すためのメッセージを操作パネルに表示したり、スピーカから出力したりする。また、このような場合には、原稿自動給送部８２４が開くことを禁止する。具体的には、何かしらのロック機構を作動させることにより、利用者が原稿自動給送部８２４を開こうとしてもそれができないようにする。
【００８５】
上記（５１）乃至（５３）において、原稿自動給送部８２４が開くことを禁止する代わりに、所定量以上開かないようにしてもよい。
【００８６】
上記（５１）乃至（５３）において、所定サイズとは、例えば、所定サイズ以上の原稿ならば、原稿自動給送部８２４を上昇させるときに原稿がフード部３０５に干渉してしまうようなサイズである。
【００８７】
上記（５１）乃至（５３）において、原稿自動給送部８２４が開くことを禁止するかわりに、警告を表示したり、警告音を出力したり、警告のメッセージ音声を出力してもよい。
【００８８】
なお、原稿自動給送部８２４から原稿が取り除かれ、且つ、拡張トレイ８４０が格納された状態になれば、原稿読取りの禁止を解除し、また、ロック機構を解除する。
【００８９】
［第５の実施の形態］
図１１は、第５の実施の形態における複合機８００の上面図及び正面図を示す。
【００９０】
第５の実施の形態は、第４の実施の形態において、本体の幅を狭くしたものである。
【００９１】
つまり、第４の実施の形態における本体８３０の幅は、Ｗ４（図８参照）であるが、第５の実施の形態における本体８３０の幅はＷ５（図１１参照）であり、Ｗ４＞Ｗ５である。
【００９２】
特に、第４の実施の形態における本体８３０の左端からフードの右端までの寸法をＷ４１、フードの右端から本体８３０の右端までの寸法をＷ４２として、第５の実施の形態における本体８３０の左端からフードの右端までの寸法をＷ５１、フードの右端から本体８３０の右端までの寸法をＷ５２とした場合、Ｗ４１＝Ｗ５１、Ｗ４２＞Ｗ５２である。
【００９３】
特に、寸法Ｗ５２は、読取領域３２１が本体８３０の上面からはみ出る程度に短く設定される。
【００９４】
読取領域３２１が本体右端部から右側にはみ出るので、本体８３０の右側面上端付近に原稿載置用折畳式トレイ３１１が取り付けられている。原稿載置用折畳式トレイ３１１は、矢印Ｂで示すように、回転させることが可能である。なお、原稿載置用折畳式トレイ３１１は、本体に収容可能なスライド式トレイ、取外可能なトレイなどに置き換わってもよい。
【００９５】
第４の実施の形態において、図９及び図１０を参照して説明した動作を、本実施形態に適用することができる。
【００９６】
［第６の実施の形態］
図１５に示すように、本体幅が狭く、スタンド型読取装置３０１を原稿載置用折畳式トレイ３１１に載置するようにしてもよい。
【００９７】
この構成において、読取領域３２１が本体８３０の上面に差し掛かっても良い。
【００９８】
また、この構成において、読取り領域３２１が、原稿自動給送部８２４が閉じられている状態では、原稿自動給送部８２４と干渉しても、原稿自動給送部８２４が開いている状態では、本体８３上面に設けられるようにしてもよい。
【００９９】
第４の実施の形態において、図９及び図１０を参照して説明した動作を、本実施形態に適用することができる。
【０１００】
［第７の実施の形態］
第７の実施の形態による複合機は、図１３に示すような構成を有する。
【０１０１】
この複合機は、ベッド型原稿読取装置８２０とスタンド型原稿読取装置３０１とを備え。
【０１０２】
ベッド型原稿読取装置８２０は、原稿自動給送部８２４と読取装置本体８２２を備える。
【０１０３】
原稿自動給送部８２４は、複合機の本体の上面に配置され、図１４に示すように後開きで上方に開くことが可能である。
【０１０４】
スタンド型原稿読取装置３０１は、支柱部３０３とフード部３０５を備える。
【０１０５】
支柱部３０３の下端部は、複合機の本体の前面の上端付近に複合機の前後方向に延びる回転軸３０３について回転可能に取り付けられている。
【０１０６】
フード部３０５は、支柱部３０３の回転により、支柱部３０３の上端部が上方に移動したときに、フード部３０５がベッド型原稿読取装置８２０の読取領域に少なくとも一部が重複するスタンド型原稿読取装置３０１の読取領域に載置された原稿を読み取ることができるように支柱部３０３の上端部付近に取り付けられている。
【０１０７】
また、スタンド型原稿読取装置３０１の支柱部３０３は、図１４に示すように、原稿自動給送部８２４が後ろ開きで上方に開いている状態にあるときに、フード部３０５が原稿自動給送部８２４に干渉しないように回転することが可能である。
【０１０８】
図示していないが、スタンド型原稿読取装置３０１の支柱部３０３は、原稿自動給送部８２４が閉じている状態にあるときにも、フード部３０５が原稿自動給送部８２４に干渉しないように回転することが可能である。
【０１０９】
［第８の実施の形態］
スタンド型読取装置３０１を、原稿自動給送部８２４の拡張トレイ８４０及び読取装置本体８２２で読み取るための原稿８５０がはみ出ない側に配置してもよい。上記の実施の形態の基本的な構成（スタンド型読取装置３０１を除外して見た構成）では、原稿自動給送部８２４の右側から拡張トレイ８４０及び読取装置本体８２２で読み取るための原稿８５０がはみ出るので、スタンド型読取装置３０１を、原稿自動給送部８２４の左側に配置してもよい。この場合、原稿自動給送部８２４の左側に読取領域３２１が設けられるように、本体８３０の左端から所定距離だけ離れた位置に原稿自動給送部８２４を配置してもよいし、原稿載置用折畳式トレイ３１１と同様なトレイを本体８３０の上面の左側に配設してもよい。
【０１１０】
［第９の実施の形態］
第９の実施の形態は、第１乃至第７の実施の形態による原稿読取装置を含む複合機８００に関するものである。図１５及び図１６は、複合機８００の構成などを示すものである。
【０１１１】
図１５及び図１６に示すように、複合機８００は、原稿の画像を読み取るベッド型原稿読取装置８２０と、シートに画像を形成する複合機本体（画像形成部本体）８３０と、ベッド型原稿読取装置８２０及び複合機本体８３０を操作するための操作パネル部８４３と、操作パネル部８４３による操作に基づいてベッド型原稿読取装置８２０及び複合機本体８３０を制御する演算処理部８４１と、を備えている。また、複合機８００は、スタンド型原稿読取装置３０１を備えている。
【０１１２】
画像読取りのためにベッド型原稿読取装置８２０を単体で用いること、画像形成のために複合機本体８３０を単体で用いることの他に、画像を複写するためにこれらを連動させることもできる。また、複合機８００は図示しない記憶装置及びファクシミリ装置を含んでいてもよい。記憶装置は、ベッド型原稿読取装置８２０により読み取られた画像やファクシミリ装置により受信した画像を格納することができる。ファクシミリ装置は、ベッド型原稿読取装置８２０により読み取られた画像や記憶装置に格納されている画像を送信することと、外部から画像を受信することができる。更に、複合機８００は、ネットワークを介してパーソナルコンピュータと接続するためのインターフェースを含んでいてもよい。複合機８００に接続されたパーソナルコンピュータは、これが管理できるデータについて複合機の機能を利用することができる。
【０１１３】
ベッド型原稿読取装置８２０は、原稿を自動給送する原稿自動給送部ＳＰＦ(Single Pass Feeder)８２４と、原稿の画像を読み取る読取装置本体８２２と、を備えている。なお、ベッド型原稿読取装置８２０は、図１６に示す構成要素の他に、図１６は示されないが図１５に示される構成要素も含む。また、図１５に示すように、読取装置本体８２２には、原稿台８２６が備わる。
【０１１４】
複合機本体８３０は、シートを給送するシート給送部１０と、シートを手差し給送可能な手差し給送部２０と、シート給送部１０又は手差し給送部２０により給送されるシートに画像を形成する画像形成部３０と、を備えている。
【０１１５】
シート給送部１０は、シートを積載するシート積載部１１と、シート積載部１１に積載されたシートを１枚ずつ分離給送する分離給送部１２と、を備えている。シート積載部１１は、回転軸１３を中心に回動する中板１４を備えており、中板１４は、シートを給送する際に回動してシートを上方に持ち上げる。分離給送部１２は、中板１４により持ち上げられたシートを給送するピックアップローラ１５と、ピックアップローラ１５により給送されるシートを１枚ずつに分離する分離ローラ対１６と、を備えている。
【０１１６】
手差し給送部２０は、シートを積載可能な手差しトレイ２１と、手差しトレイ２１に積載されたシートを１枚ずつ分離給送する分離給送部２２と、を備えている。手差しトレイ２１は、複合機本体８３０に回動自在に支持されており、手差し給送する際には、所定の角度に固定させることでシートを積載可能になる。分離給送部２２は、手差しトレイ２１に積載されたシートを給送するピックアップローラ２３と、ピックアップローラ２３により給送されるシートを１枚ずつに分離する分離ローラ２４及び分離パッド２５と、を備えている。
【０１１７】
画像形成部３０は、イエロー（Ｙ）、マゼンタ（Ｍ）、シアン（Ｃ）、ブラック（Ｋ）の画像を形成する４つのプロセスカートリッジ３１Ｙ〜３１Ｋと、後述する感光体ドラム７４０Ｙ〜７４０Ｋと、これらの表面を露光する露光装置３２と、感光体ドラム７４０Ｙ〜７４０Ｋの表面に形成されたトナー像をシートに転写する転写部（転写手段）３３と、転写したトナー像をシートに定着させる定着部３４と、を備えている。なお、符号の最後に付すアルファベット（Ｙ、Ｍ、Ｃ、Ｋ）は、それぞれの色（イエロー、マゼンタ、シアン、ブラック）を示している。
【０１１８】
４つのプロセスカートリッジ３１Ｙ〜３１Ｋのそれぞれは、複合機本体８３０から取り外し可能に構成されており、交換可能となっている。なお、４つのプロセスカートリッジ３１Ｙ〜３１Ｋは、形成する画像の色が異なること以外は同様な構成であるため、イエロー（Ｙ）の画像を形成するプロセスカートリッジ３１Ｙの構成のみの説明し、プロセスカートリッジ３１Ｍ〜３１Ｋの説明は省略する。
【０１１９】
プロセスカートリッジ３１Ｙは、像担持体としての感光体ドラム７４０Ｙと、感光体ドラム７４０Ｙを帯電させる帯電器７４１Ｙと、感光体ドラム７４０Ｙ上に形成された静電潜像を現像する現像装置７４２Ｙと、感光体ドラム７４０Ｙの表面に残留するトナーを除去するドラムクリーナ７４３Ｙと、を備えている。現像装置７４２Ｙは、感光体ドラム７４０Ｙを現像する現像装置本体（詳細には図示せず）と、現像装置本体にトナーを供給するトナーカートリッジ（詳細には図示せず）と、を備えている。トナーカートリッジは、現像装置本体に着脱可能に構成されており、収容されたトナーが無くなると、現像装置本体から取り外して、交換することができるようになっている。
【０１２０】
露光装置３２は、レーザ光を照射する光源（図示せず）と、レーザ光を感光体ドラム７４０Ｙ〜７４０Ｋに導く複数のミラー（図示せず）等と、を備えている。転写部３３は、感光体ドラム７４０Ｙ〜７４０Ｋに形成されたトナー像を担持する中間転写ベルト３５と、感光体ドラム７４０Ｙ〜７４０Ｋに形成されたトナー像を中間転写ベルト３５に一次転写する一次転写ローラ３６Ｙ〜３６Ｋと、中間転写ベルト３５に転写されたトナー像をシートに二次転写する二次転写ローラ３７と、中間転写ベルト３５に残留するトナーを除去するベルトクリーナ３８と、を備えている。中間転写ベルト３５は、駆動ローラ３９ａ及び従動ローラ３９ｂに掛け渡されており、一次転写ローラ３６Ｙ〜３６Ｋによって感光体ドラム７４０Ｙ〜７４０Ｋに押し付けられている。二次転写ローラ３７は、駆動ローラ３９ａとで中間転写ベルト３５をニップ（挟持）しており、ニップ部Ｎで中間転写ベルト３５が担持するトナー像をシートに転写する。定着部３４は、シートを加熱する加熱ローラ３４ａと、加熱ローラ３４ａに圧接する加圧ローラ３４ｂと、を備えている。
【０１２１】
操作パネル部８４３は、所定の情報を表示する表示部８４５と、利用者がベッド型原稿読取装置８２０及び複合機本体８３０への指示を入力する入力部８４７と、を備えている。本実施形態においては、操作パネル部８４３は、読取装置本体８２２の正面側に配設されている。なお、正面側は図１５の紙面の手前側に対応し、裏面側は図１５の背面側に対応する。
【０１２２】
図１６に示すように、演算処理部８４１は、シート給送部１０、手差し給送部２０、画像形成部３０及びベッド型原稿読取装置８２０を駆動制御するＣＰＵ８４１ａと、ＣＰＵ８４１ａを動作させるための各種プログラムとＣＰＵ８４１ａが用いる各種情報等を記憶するメモリ８４１ｂと、を備えている。演算処理部８４１は、利用者による操作パネル部８４３への操作に基づいて、シート給送部１０、手差し給送部２０、画像形成部３０及びベッド型原稿読取装置８２０の動作を統合して制御し、シートに画像を形成させる。
【０１２３】
次に、上述のように構成された複合機８００による画像形成動作（演算処理部８４１による画像形成制御）について説明する。本実施形態においては、原稿自動給送部８２４により給送され、読取装置本体８２２により読み取られた読取原稿の画像を、シート給送部１０により給送されるシートに画像形成部３０が形成する画像形成動作を例にとり説明する。
【０１２４】
利用者による操作パネル部８４３の入力部８４７への入力により、画像形成開始信号が発信されると、利用者により原稿自動給送部８２４に載置された読取原稿が原稿読取位置に向けて自動給送され、原稿読取位置で読取装置本体８２２によって画像が読み取られる。
【０１２５】
読取装置本体８２２により原稿の画像が読み取られると、読み取られた原稿の画像情報に基づいて、露光装置３２が感光体ドラム７４０Ｙ〜７４０Ｋに向けて、それぞれに対応する複数のレーザ光を照射する。このとき、感光体ドラム７４０Ｙ〜７４０Ｋは、それぞれ、帯電器７４１Ｙ〜７４１Ｋにより予め帯電されており、それぞれに対応するレーザ光が照射されることで感光体ドラム７４０Ｙ〜７４０Ｋ上にそれぞれの静電潜像が形成される。その後、現像装置７４２Ｙ〜７４２Ｋにより感光体ドラム７４０Ｙ〜７４０Ｋ上にそれぞれ形成された静電潜像が現像され、感光体ドラム７４０Ｙ〜７４０Ｋ上に、イエロー（Ｙ）、マゼンタ（Ｍ）、シアン（Ｃ）及びブラック（Ｋ）のトナー像が形成される。感光体ドラム７４０Ｙ〜７４０Ｋ上に形成された各色のトナー像は、一次転写ローラ３６Ｙ〜３６Ｋによって中間転写ベルト３５に重畳転写され、重畳転写されたトナー像（フルカラーのトナー像）は、中間転写ベルト３５に担持された状態でニップ部Ｎまで搬送される。
【０１２６】
上述の画像形成動作に並行して、シート積載部１１に積載されたシートが、分離給送部１２によって１枚ずつに分離されながら、ピックアップローラ１５によりシート搬送路２６に給送される。そして、ニップ部Ｎのシート搬送方向上流にあるレジストローラ対２７で、斜行が補正されると共に、所定の搬送タイミングでニップ部Ｎに搬送される。ニップ部Ｎに搬送されたシートは、二次転写ローラ３７によって中間転写ベルト３５が担持するフルカラーのトナー像が転写される。
【０１２７】
トナー像が転写されたシートは、定着部３４で加熱・加圧されることでトナー像が溶融定着され、排出ローラ対１８により装置外に排出される。装置外に排出されたシートは、排出シート積載部１９に積載される。
【０１２８】
なお、シートの両面（第１面及び第２面）に画像を形成する場合には、第１面に画像が形成されたシートが装置外に排出される前に、排出ローラ対１８を逆回転させて両面搬送路１７に搬送し、両面搬送路１７を介して画像形成部３０に再搬送する。そして、第１面と同様に、第２面に画像を形成し、装置外に排出する。装置外に排出されたシートは、排出シート積載部１９に積載される。
【０１２９】
本発明はその精神または主要な特徴から逸脱することなく、他の種々の形で実施することができる。そのため、前述した各実施形態は単なる例示にすぎず、限定的に解釈されるべきではない。本発明の範囲は特許請求の範囲によって示すものであって、明細書本文にはなんら拘束されない。さらに、特許請求の範囲の均等範囲に属する変形や変更はすべて本発明の範囲内のものである。
【産業上の利用可能性】
【０１３０】
本発明は、複合機に利用することができる。
【符号の説明】
【０１３１】
３０１  スタンド型原稿読取装置
３０３  支柱部
３０５  フード部
８００  複合機
８２０  原稿読取装置
８２２  読取装置本体
８２４  原稿自動給送部
８３０  本体
【図１】
2020120215.tif 000003
【図２】
2020120215.tif 000004
【図３】
2020120215.tif 000005
【図４】
2020120215.tif 000006
【図５】
2020120215.tif 000007
【図６】
2020120215.tif 000008
【図７】
2020120215.tif 000009
【図８】
2020120215.tif 000010
【図９】
2020120215.tif 000011
【図１０】
2020120215.tif 000012
【図１１】
2020120215.tif 000013
【図１２】
2020120215.tif 000014
【図１３】
2020120215.tif 000015
【図１４】
2020120215.tif 000016
【図１５】
2020120215.tif 000017
【図１６】
2020120215.tif 000018